(57)【要約】【課題】全てのインク供給要素が、研磨等の後加工や筆記時の圧力等によってもズレ或いは没入等の問題を生ぜず、しかも、各インク供給要素と各色のインク吸蔵体との接続のための分割加工が容易である多色筆記用ペン先を提供する。【解決手段】毛細管力によりインクを後端のインク流入口部２ａから先端の筆記部２ｂに誘導可能なパイプ状のインク供給要素２を複数本集束し、この集束体３における外周を外皮４で被覆し、いずれのインク供給要素２も相互に接触部５を経て独立して分離可能で且つ外皮４とは接合部６を経て一体化している。【選択図】  図３
2005022113.tif 000002
【特許請求の範囲】
【請求項１】
毛細管力によりインクを後端のインク流入口部から先端の筆記部に誘導可能なパイプ状のインク供給要素を複数本集束し、この集束体における外周を外皮で被覆し、いずれのインク供給要素も相互に接触部を経て独立して分離可能で且つ前記外皮とは接合部を経て一体化していることを特徴とする多色筆記用ペン先。
【請求項２】
インク供給要素におけるインク流入口部が折曲部を経て相互に離間する方向に拡開可能なことを特徴とする請求項１記載の多色筆記用ペン先。
【請求項３】
外皮後端に環状ストッパー部を有し、この環状ストッパー部内からインク流入口部が突出していることを特徴とする請求項１または２記載の多色筆記用ペン先。
【発明の詳細な説明】
【０００１】
【発明の属する技術分野】
本発明はマーキングペンに使用される合成樹脂製ペン先に関し、特に多色筆記用のペン先に関するものである。
【０００２】
【従来の技術】
先行文献１に記載されている従来の多色サインペンは、縦方向に毛細管現象によりインキを流通させる微小スリットを貫通させた複数個の熱可塑性樹脂の押し出し成形によって得たペン先単体を、その先端部において相互に密着させて一体化しペン先とし、それぞれのペン先単体の末端部を該単体と同数のインキ吸蔵体を区画壁を介在させて一本化したインキ筒の先端部に接触させるものである。
ところが、ペン先における複数本のペン先単体は相互に密着しているだけで接着されておらず、また、保持部に対して密嵌されているだけで接着されていないため、研磨化工時や筆記時の圧力、インクによる膨潤によって、各ペン先単体が軸線方向にずれたり、保持部に対して抜け落ちや没入を生ずるという不具合があった。
また仮に、ペン先における複数本のペン先単体が相互に接着されて一体化しているとしても、一体物になっているため、ペン先単体後端を分割加工し難いという問題があり、多色筆記用としては不適である。
また、ペン先単体の後端を折曲加工した後に、各ペン先単体の先端部を接着するのも作業的に非常に非効率である。
【０００３】
【先行文献１】
実公昭５６−５０６８７号公報
【０００４】
【発明が解決しようとする課題】
解決しようとする課題は、第１には、全てのインク供給要素が、研磨等の後加工や筆記時の圧力等によってもズレ或いは没入等の問題を生ぜず、しかも、各インク供給要素と各色のインク吸蔵体との接続のための分割加工が容易である多色筆記用ペン先を、第２には、さらに、各色のインク吸蔵体との接続作業が簡単で容易に行なえる多色筆記用ペン先を、第３には、さらに、各色のインク吸蔵体との接続作業が確実且つ効率良く迅速に行なえる多色筆記用ペン先を提供することにある。
【０００５】
【課題を解決するための手段】
本発明は前記した課題を達成するため、毛細管力によりインクを後端のインク流入口部から先端の筆記部に誘導可能なパイプ状のインク供給要素を複数本集束し、この集束体における外周を外皮で被覆し、いずれのインク供給要素も相互に接触部を経て独立して分離可能で且つ前記外皮とは接合部を経て一体化していることを特徴とする。
また本発明では、さらに、インク供給要素におけるインク流入口部が折曲部を経て相互に離間する方向に拡開可能なことを特徴とする。
また本発明では、さらに、外皮後端に環状ストッパー部を有し、この環状ストッパー部内からインク流入口部が突出していることを特徴とする。
【０００６】
本発明におけるインク供給要素は合成樹脂製のもので、軸線方向にインク通路を有して、毛細管力によりインクを後端のインク流入口部から先端の筆記部に誘導可能なパイプ状のものであれば良く、外郭部内におけるリブの有無、形態、配置を含め横断面形状は問われない。また、筆記部は、砲弾状、平坦状、アンダーカット状等の任意の形状で良い。同様に、インク流入口部は、平坦状であっても良いし、インク吸蔵体へ挿入し易いような先鋭状の形状でも良い。
このインク供給要素と外皮の関係は、いずれのインク供給要素も相互に接触部を経て独立して分離可能で且つ各インク供給要素と外皮とは接合部を経て一体化していれば良く、接合部は接着或いは融着等による接合関係になる。例えば、融着による接合関係で、連続して移動する集束体に外皮を被覆形成する成形法では、外皮はインク供給要素よりも融点が同じか或いは低い部材になる。接着による接合関係の場合、外皮は合成樹脂製のものに限らず、金属製、セラミック製、ゴム製等のものであっても良い。
各インク供給要素における筆記部は外皮先端と少なくとも面一或いは僅かでも突出していれば良い。また、各インク供給要素におけるインク流入口部は、外皮から突出してインク吸蔵体に挿入可能にしてある態様のものに限らず、外皮と面一で外皮後端とともにインク吸蔵体に挿入可能にしてある態様のものであっても良い。インク流入口部が外皮から突出している態様のものでは、外皮におけるインク流入口部が突出している端がインク吸蔵体に当接して、インク吸蔵体に対するインク流入口部の一定以上の挿入を規制するストッパーとして働くことになる。インク供給要素の集束本数は多色筆記可能な複数本になる。
【０００７】
【発明の実施の形態】
図１〜図３には本発明の多色筆記用ペン先における実施の１形態を例示しており、ペン先１は、毛細管力によりインクを後端のインク流入口部２ａから先端の筆記部２ｂに誘導可能なパイプ状のインク供給要素２を３本集束し、この集束体３における外周を外皮４で被覆してある。そして、各インク供給要素２は、相互に接触部５を経て隣接して、各要素２が独立して分離可能で且つ各要素２と外皮４とは接合部６を経て一体化した状態に形成してある。
ペン先１先端における略砲弾形状の筆先部１ａには、外皮４先端から各インク供給要素２の筆記部２ｂがそれぞれ突出して露呈している。また、ペン先１後端には、外皮４後端からインク流入口部２ａがそれぞれ突出して露呈している。
【０００８】
インク供給要素２は、外郭部２ｃ内にリブ２ｄを求心方向に適宜配設することで、軸線方向に連続するインク通路２ｅを有しており、毛細管力によりインクを後端のインク流入口部２ａから折曲部２ｆを経て先端の筆記部２ｂに誘導可能にしてある。
この各インク供給要素２におけるインク流入口部２ａは、外皮４後端位置の折曲部２ｆを経て後方に向けて相互に離間する方向に放射状に拡開しており、各インク流入口部２ａが後の多色ペンで説明するインク吸蔵体にそれぞれ挿入し易く形成してある。
また、外皮４後端には環状ストッパー部７を形成し、この環状ストッパー部７内から各インク流入口部２ａが後方に向けて放射状に突出しているようにしてある。
【０００９】
図４〜図６には本発明の多色筆記用ペン先における実施の他の１形態を例示しており、構成は前記した図１の態様のものと基本的に同一であるため、共通している構成の説明は符号を準用して省略し、相違する構成について説明する。
ペン先１は、インク供給要素２を２本集束し、この集束体３における外周を外皮４で被覆してある。そして、各インク供給要素２は、相互に接触部５を経て隣接して、各要素２が独立して分離可能で且つ各要素２と外皮４とは接合部６を経て一体化した状態に形成してある。
ペン先１先端における略平坦状の筆先部１ａには、外皮４先端と面一の各インク供給要素２の筆記部２ｂがそれぞれ露呈している。
各インク供給要素２におけるインク流入口部２ａは、外皮４後端位置の折曲部２ｆを経て後方に向けて相互に離間する方向に突出して拡開しており、各インク流入口部２ａが後の多色ペンで説明するインク吸蔵体にそれぞれ挿入し易く形成してある。
【００１０】
図７〜図９には本発明の多色筆記用ペン先における実施の他の１形態を例示しており、構成は前記した図１の態様のものと基本的に同一であるため、共通している構成の説明は符号を準用して省略し、相違する構成について説明する。
ペン先１は、インク供給要素２を４本集束し、この集束体３における外周を外皮４で被覆してある。そして、各インク供給要素２は、相互に接触部５を経て隣接して、各要素２が独立して分離可能で且つ各要素２と外皮４とは接合部６を経て一体化した状態に形成してある。
ペン先１先端における略砲弾形状の筆先部１ａには、外皮４先端から各インク供給要素２の筆記部２ｂがそれぞれ露呈している。
各インク供給要素２におけるインク流入口部２ａは、外皮４後端位置の折曲部２ｆを経て後方に向けて相互に離間する方向に放射状に拡開しており、各インク流入口部２ａが後の多色ペンで説明するインク吸蔵体にそれぞれ挿入し易く形成してある。
【００１１】
図１０〜図１２には本発明の多色筆記用ペン先における実施の他の１形態を例示しており、構成は前記した図１の態様のものと基本的に同一であるため、共通している構成の説明は符号を準用して省略し、相違する構成について説明する。
ペン先１は、インク供給要素２を３本集束し、この集束体３における外周を外皮４で被覆してある。そして、各インク供給要素２は、相互に接触部５を経て隣接して、各要素２が独立して分離可能で且つ各要素２と外皮４とは接合部６を経て一体化した状態に形成してある。
ペン先１先端における略砲弾形状の筆先部１ａには、外皮４先端から各インク供給要素２の筆記部２ｂがそれぞれ突出して露呈している。また、ペン先１後端には、外皮４後端と面一のインク流入口部２ａがそれぞれ露呈している。
各インク供給要素２におけるインク流入口部２ａは、インク供給要素２と同数に分割された外皮後端部４ａともども折曲部２ｆを経て後方に向けて相互に離間する方向に放射状に拡開しており、この３分割された外皮後端部４ａとそれぞれ一体化している各インク流入口部２ａが後の多色ペンで説明するインク吸蔵体に挿入し易く形成してある。
【００１２】
また図示していないが、図４、図７におけるペン先１の後端形状すなわちインク流入口部２ａが外皮４後端から突出している態様を、図１０のペン先１の後端形状すなわちインク流入口部２ａが分割された外皮後端部４ａと面一になっている態様のものにしても良く、制限されない。
【００１３】
図１３には本発明の多色筆記用ペン先を用いた多色ペンとして、図４の多色筆記用ペン先を組み付けた多色ペンを例示している。
この多色ペン８は、ボディ８ａ先端にペン先１を挿着して、ペン先１における各インク供給要素２のインク流入口部２ａをボディ８ａ内の２体の中綿製インク吸蔵体８ｂにそれぞれ挿入し、２色のインクがそれぞれの専用容器である各インク吸蔵体８ｂから各インク供給要素２を経て筆記部２ｂに毛細管誘導されるようにしてある。ボディ８ａ後端は尾栓８ｃで閉じている。
これにより、例えば青色による筆記または赤色による筆記或いは青色および赤色による同時筆記のように、３通りに使い分けて筆記することが可能である。
【００１４】
【発明の効果】
Ａ．請求項１により、全てのインク供給要素が外皮と接合部を経て一体化しているので、各インク供給要素は研磨等の後加工や筆記時の圧力等によってもズレ或いは没入等の問題を生じない。しかも、全てのインク供給要素は相互に接触部５を経て独立して分離可能になっているので、各インク供給要素と各色のインク吸蔵体との接続のための分割加工が容易である。
Ｂ．請求項２により、さらに、各インク流入口部が後方に向けて拡開しているので、各色のインク吸蔵体との接続作業が簡単で容易に行なえる。
Ｃ．請求項３により、さらに、環状ストッパー部がインク吸蔵体等に当接可能であるから、インク吸蔵体に対するインク流入口部の挿入程度を規制することができ、各色のインク吸蔵体との接続作業を確実且つ効率良く迅速に行なうことができる。
【図面の簡単な説明】
【図１】本発明の多色筆記用ペン先における実施の１形態を例示している正面図。
【図２】側面図。
【図３】縦断面図。
【図４】本発明の多色筆記用ペン先における実施の他の１形態を例示している正面図。
【図５】側面図。
【図６】縦断面図。
【図７】本発明の多色筆記用ペン先における実施の他の１形態を例示している正面図。
【図８】側面図。
【図９】縦断面図。
【図１０】本発明の多色筆記用ペン先における実施の他の１形態を例示している正面図。
【図１１】側面図。
【図１２】縦断面図。
【図１３】本発明の多色筆記用ペン先を用いた多色ペンを例示している正面図。
【符号の説明】
１  ペン先
１ａ  筆先部
２  インク供給要素
２ａ  インク流入口部
２ｂ  筆記部
２ｃ  外郭部
２ｄ  リブ
２ｅ  インク通路
２ｆ  折曲部
３  集束体
４  外皮
４ａ  外皮後端部
５  接触部
６  接合部
７  環状ストッパー部
８  多色ペン
８ａ  ボディ
８ｂ  インク吸蔵体
８ｃ  尾栓
【図１】
2005022113.tif 000003
【図２】
2005022113.tif 000004
【図３】
2005022113.tif 000005
【図４】
2005022113.tif 000006
【図５】
2005022113.tif 000007
【図６】
2005022113.tif 000008
【図７】
2005022113.tif 000009
【図８】
2005022113.tif 000010
【図９】
2005022113.tif 000011
【図１０】
2005022113.tif 000012
【図１１】
2005022113.tif 000013
【図１２】
2005022113.tif 000014
【図１３】
2005022113.tif 000015